(57)【要約】【課題】貫通孔に挿通された配管の振動が構造体に伝わりにくく、また施工誤差に左右されずに速やかに配管工事を行うことができる隙間閉塞部材及び隙間閉塞方法を提供する。【解決手段】貫通孔の径よりも小さい外径を有し且つ配管外径よりも大きな内径を有する円筒部と、該円筒部の一端周縁から径方向外方に向かって延びた貫通孔の径よりも大きな外径を有する鍔部と、からなるハット状部材と、前記ハット状部材の前記円筒部の内面に貼着されたフェルト状防振材とから構成して隙間閉塞部材とする。また隙間閉塞に際しては、排水縦管の床から上方への突出部分を非連結・非固定状態としておき、前記隙間閉塞部材を、排水縦管の突出部分にハット状部材の円筒部側から嵌め込んで下方に移動させ、ハット状部材の鍔部を床に掛止させていく。【選択図】図１
2010281366.tif 000002
【特許請求の範囲】
【請求項１】
構造体に穿設された貫通孔と該貫通孔に挿通された配管との間の隙間を閉塞するための隙間閉塞部材であって、
貫通孔の径よりも小さい外径を有し且つ配管外径よりも大きな内径を有する円筒部と、該円筒部の一端周縁から径方向外方に向かって延びた貫通孔の径よりも大きな外径を有する鍔部と、からなるハット状部材と、
前記ハット状部材の前記円筒部の内面に貼着されたフェルト状防振材と
からなることを特徴とする隙間閉塞部材。
【請求項２】
前記構造体が建物の床で、前記配管が排水縦管であることを特徴とする請求項１に記載の隙間閉塞部材。
【請求項３】
前記フェルト状防振材は、前記ハット状部材の前記円筒部の他端よりも軸方向外方に延びていることを特徴とする請求項２に記載の隙間閉塞部材。
【請求項４】
請求項１から３の何れか一項に記載の隙間閉塞部材を使用して、床の所定位置に穿設された貫通孔と該貫通孔に挿通された排水縦管との間の隙間を閉塞する方法であって、
排水縦管の床から上方への突出部分を非連結・非固定状態としておき、
前記隙間閉塞部材を、排水縦管の前記突出部分にハット状部材の円筒部側から嵌め込んで下方に移動させ、ハット状部材の鍔部を床に掛止させる
ことを特徴とする方法。
【請求項５】
（１）床の所定位置に貫通孔を穿設し、
（２）排水縦管を床の下方から立ち上げて前記貫通孔に挿通し、排水縦管の床から上方への突出部分を非連結・非固定状態としておき、
（３）請求項１から３の何れか一項に記載の隙間閉塞部材を、ハット状部材の鍔部を上側にした状態で排水縦管の上から嵌め込んで下方に移動させ、ハット状部材の鍔部を床に掛止させ、
（４）排水縦管の上端部以降の配管工事を行う
ことを特徴とする排水配管構造の構築方法。
【発明の詳細な説明】
【技術分野】
【０００１】
本発明は、建物の床等の構造体に穿設された貫通孔と該貫通孔に挿通される排水縦管等の配管との間の隙間を閉塞するための隙間閉塞部材並びに該隙間閉塞部材を用いた隙間閉塞方法に関するものである。
【背景技術】
【０００２】
床の貫通孔に排水管等の排水縦管を貫通させる場合、貫通孔は排水縦管の外径よりも若干大きめに穿たれるので、配管された排水縦管の周囲には隙間が生じる。この隙間には、耐火、防音等の観点からモルタル等の湿式材料を充填するのが一般的であった。
【０００３】
しかし、この隙間はごくわずかなものであり、湿式材料の充填作業や充填状況の確認作業に手間を要した。また、モルタルのような材料は硬化すると振動を伝えやすくなるので、排水の際に排水音が発生するという問題が生じやすかった。
【０００４】
上記の如くの隙間を閉塞する際に利用できる閉塞材支持具が特許文献１に開示されている。すなわち、特許文献１には、床の貫通孔に排水管（長尺体）を配管した際の排水管まわりの隙間を、耐火パテ等の閉塞材で閉塞する際に使用できる閉塞材支持具の記載がある。この閉塞材支持具を使用することで、閉塞材の充填作業を速やか且つ確実に行うことができる。
しかし、耐火パテ自体は粘土状であり振動を伝えにくいものであるが、連結部から内側方向に突出した支持部や仕切面部が排水管と接触し、閉塞材支持具を介して振動が伝わる虞がある。
【０００５】
また、排水管を予め設置した後（排水管の位置が決定された後）に閉塞材支持具を隙間に嵌め込む、という作業手順となるが、この場合、施工の誤差によって貫通孔と排水管の位置関係がずれてしまい、支持部や仕切面部が排水管と接触する可能性が高まり、閉塞材支持具の嵌め込み自体が困難になる虞もある。貫通孔の径を大きくするという対応も考えられるが、この場合は床に対する支持部の掛かり代が充分確保できなくなる虞がある。
【先行技術文献】
【特許文献】
【０００６】
【特許文献１】特開２０００−２４０２６９号公報
【発明の概要】
【発明が解決しようとする課題】
【０００７】
本発明は、上記従来技術の有する課題を解決したもので、貫通孔に挿通された配管の振動が構造体に伝わりにくく、また施工誤差に左右されずに速やかに配管工事を行うことができる隙間閉塞部材及び隙間閉塞方法を提供することを目的とする。
【課題を解決するための手段】
【０００８】
第一の発明によれば、
建物の構造体に穿設された貫通孔と該貫通孔に挿通された配管との間の隙間を閉塞するための隙間閉塞部材であって、
貫通孔の径よりも小さい外径を有し且つ配管外径よりも大きな内径を有する円筒部と、該円筒部の一端周縁から径方向外方に向かって延びた貫通孔の径よりも大きな外径を有する鍔部と、からなるハット状部材と、
前記ハット状部材の前記円筒部の内面に貼着されたフェルト状防振材と
からなることを特徴とする隙間閉塞部材が提供される。
【０００９】
ここで、建物の構造体とは、建物の躯体構造であって、建物の空間の仕切り等を構成する構造を意味し、具体的には、貫通孔が形成されることがある床スラブ、壁等を言う。また配管は、流体の流通によって振動が生じる虞のある管材全般を含む。
かかる隙間閉塞部材によれば、ハット状部材とその内面に貼着されたフェルト状防振材とから構成され、従来のモルタルや耐火パテ等の湿式材料が用いられていないので、湿式材料の充填作業に要する手間を省くことができ、施工性が大幅に向上する。また、ハット状部材の円筒部に配管を挿通させるが、該円筒部の内面にはフェルト状防振材が貼着されているため、ハット状部材が配管に直接接触したり、他の振動を伝えやすい材料を介して接触したりすることがなく、配管に生じる振動が構造体側に伝わる虞がない。
【００１０】
第二の発明によれば、第一の発明において、前記構造体が建物の床で、前記配管が排水縦管であることを特徴とする隙間閉塞部材が提供される。
建物の床の貫通孔に挿通される排水縦管は、排水の流通時に騒音が発生する虞が特に多いが、本発明によれば、床と排水縦管との間の隙間にはフェルト状の防振材が充填され、床と排水縦管とが直接接触することがなく、防振材を介して接触するので、排水時の排水縦管に生じる振動がかかる防振材によって効果的に緩衝され、振動に起因する騒音の発生を防止することができる。
【００１１】
第三の発明によれば、第一又は第二の発明において、前記フェルト状防振材が、前記ハット状部材の前記円筒部の他端よりも軸方向外方に延びていることを特徴とする隙間閉塞部材が供される。
フェルト状防振材が円筒部の長さに対してより長くなる程、防振効果が高まり、振動に起因する騒音の発生を、より確実に防止することができる。また隙間閉塞部材に排水縦管等の配管を挿通する場合にフェルト状防振材が巻き込まれることが防止でき、配管挿通作業性が良好になる。
【００１２】
第四の発明によれば、第一から第三の発明の何れか一の隙間閉塞部材を使用して、床の所定位置に穿設された貫通孔と該貫通孔に挿通された排水縦管との間の隙間を閉塞する方法であって、
排水縦管の床から上方への突出部分を非連結・非固定状態としておき、
前記隙間閉塞部材を、排水縦管の前記突出部分にハット状部材の円筒部側から嵌め込んで下方に移動させ、ハット状部材の鍔部を床に掛止させる
ことを特徴とする方法が提供される。
【００１３】
かかる発明によれば、貫通孔と排水縦管との間の隙間にモルタル等の湿式材料を充填していく必要がない上、隙間閉塞部材は、排水縦管の上部突出部分から嵌め込んで下方に移動させ、鍔部を床に掛止させるだけで、隙間を閉塞することができ、施工性が大幅に高められる。また、排水縦管の取付位置に誤差があっても、フェルト状防振材が備えられているために隙間閉塞部材の装着は簡単に行うことができる。
【００１４】
また第四の発明は排水配管構造の構築方法としても表現できる。すなわち、第五の発明によれば、
（１）床の所定位置に貫通孔を穿設し、
（２）排水縦管を床の下方から立ち上げて前記貫通孔に挿通し、排水縦管の床から上方への突出部分を非連結・非固定状態としておき、
（３）請求項１から３の何れか一項に記載の隙間閉塞部材を、ハット状部材の鍔部を上側にした状態で排水縦管の上から嵌め込んで下方に移動させ、ハット状部材の鍔部を床に掛止させ、
（４）排水縦管の上端部以降の配管工事を行う
ことを特徴とする排水配管構造の構築方法が提供される。
【発明の効果】
【００１５】
本発明に係る隙間閉塞部材によれば、貫通孔と配管の隙間を速やかに閉塞し、配管の振動が構造体に伝わりにくくすることができる。
【図面の簡単な説明】
【００１６】
【図１】本発明の一実施形態に係る隙間閉塞部材を用いて、床の貫通孔と該貫通孔に挿通された排水縦配管との隙間を閉塞した状態を示す縦断面図である。
【図２】図１のＩＩ−ＩＩ矢視図である。
【発明を実施するための形態】
【００１７】
図１〜２は、本発明の一実施形態に係る隙間閉塞部材の使用状態を示す図であり、図中１は建物の床を構成する床スラブである。該床スラブ１は、例えば厚さ１００ｍｍのＡＬＣ（Ａｕｔｏｃｌａｖｅｄ  Ｌｉｇｈｔｗｅｉｇｈｔ  ａｅｒａｔｅｄ  Ｃｏｎｃｒｅｔｅの略）パネルからなり、その上面に、図示しないが、断熱材、モルタル、合板等からなる床下地層が形成された後にフローリング材等の床仕上げ材が敷設されて、床が構成される。
該床スラブ１には、ホールソー等の穿孔具を用いて該床スラブ１を上下方向に貫通する貫通孔２が穿設されており、該貫通孔２に、硬質塩化ビニールパイプ等からなる排水縦管３が挿通されている。そして、該貫通孔２の内周面と排水縦管３の外周面との隙間を閉塞するために本発明の隙間閉塞部材Ａが設置されている。
【００１８】
隙間閉塞部材Ａは、円筒部４と円筒部４の上端に連設され該上端周縁から径方向外方に向かって延びる環状鍔部５とからなるハット状部材Ａ１と、ハット状部材Ａ１の円筒部４の内面に貼着されたフェルト状防振材Ａ２とからなる。
円筒部４は、その外径が床スラブ１に穿設された貫通孔２の径よりも小さく、内径が貫通孔２に挿通される排水縦管３の外径よりも大きくなるように製作されている。尚、図示例では、円筒部４は、床スラブ１の厚さよりも若干長い長さを有しているが、床スラブ１の厚さよりも短くしてもよい。
【００１９】
環状鍔部５は、その外径が貫通孔２の径よりも大きく設定され、円筒部４を貫通孔２に挿通させると、環状鍔部５が貫通孔２の内周縁部に掛止させられる構成とされている。また、環状鍔部５には、その周方向に等間隔をあけて複数の透孔５ａが穿設されており、該透孔５ａを使用して床スラブ１に対して釘やビス等で環状鍔部５を固定することができるようになっている。そして、円筒部４を、内部に排水縦管３を挿通させた状態で、床スラブ１の貫通孔２に挿し込み、環状鍔部５を貫通孔２の周縁の床スラブ１に掛止させることにより、隙間閉塞部材Ａが貫通孔２に保持されるようになっている。
【００２０】
ハット状部材Ａ１は、溶融亜鉛めっき処理された厚さが０．６ｍｍの鋼板を加工して製作されている。ハット状部材Ａ１を構成する材料としては他にステンレス鋼板等、防錆処理された金属板材を使用することができし、あるいは、硬質塩化ビニール等の合成樹脂を用いることもできる。
【００２１】
フェルト状防振材Ａ２は、図示例では、端部が円筒部４の端部よりも外方に延出した状態で円筒部４の内面に貼着されている。すなわち、フェルト状防振材Ａ２は、下端が円筒部１の下端よりも更に垂下した状態で貼着され、その上端は、前記床下地層や床仕上げ材が排水縦管３と接触しないように、床仕上げ材の上端面よりも若干突出するように設定されている。
【００２２】
フェルト状防振材Ａ２は、柔軟性を有し、若干の圧縮状態でも排水縦管３からの振動を床に伝達しにくい材料で構成されている。このような材料としては、例えば、「スーパーフェルトン（ニチアス株式会社製）」がある。これは、ガラス長繊維の積層体の表面を不織布で被覆し、ニードル加工して樹脂バインダーを施した、柔軟性に富むマット状材料であり、連続気孔を有し優れた吸音性を発揮する。また、不燃材料であり、熱伝導率λ＝０．０３７Ｗ／（ｍ・Ｋ）（２４℃）と高い断熱性能も備え、基材と表面不織布がニードル加工されており層間強度が高く、ガラス長繊維の積層体のため保水性が良好で防露性を備える、といった特徴も有している。該フェルト状防振材Ａ２の一方の面には予め両面テープが貼着されて貼着層が形成されており、フェルト状防振材Ａ２は該貼着層を介して円筒部４の内面に貼着されている。かかるフェルト状防振材Ａ２としては、現在、非圧縮状態での厚さが５ｍｍ、８ｍｍ、１０ｍｍの製品が市販されているが、本実施形態では厚さが５ｍｍの製品が好適に採用される。
【００２３】
円筒部４の内面にフェルト状防振材Ａ２が貼着された状態では、その内径が挿通される排水縦管３の外径よりも若干小さくなっており、排水縦管３が挿通されることによってフェルト状防振材Ａ２が圧縮されて隙間が閉塞される。例えば、排水縦管３の外径が８９ｍｍ（内径７５ｍｍ）の場合、円筒部４の内径を９８ｍｍ、環状鍔部５の外径を１４０ｍｍとする。この構成のハット状部材Ａ１の円筒部４の内面に厚さ５ｍｍのフェルト状防振材Ａ２を貼着するとフェルト状防振材Ａ２を含めた円筒部４の内法寸法は９８ｍｍ−５×２ｍｍ−α（フェルト状防振材Ａ２の内面側の部分が円周方向について圧縮されることによる厚さ増加分）となり、排水縦管３の外径より若干小さくなる。ここに排水縦管３が挿通されることにより、フェルト状防振材Ａ２は若干厚さ方向に圧縮されて、この状態で隙間は閉塞される。
【００２４】
上記構成の隙間閉塞部材Ａを用いた、床スラブ１に形成された貫通孔２と該貫通孔２に挿通された排水縦管３との間の隙間の閉塞方法は以下の通りである。
【００２５】
（１）  ホールソー等の穿孔具を用いて床スラブ１の所定位置に貫通孔２を穿設する。貫通孔２の径は、隙間閉塞部材Ａの円筒部１の外径よりも大きく環状鍔部５の外径よりも小さい所定の大きさである。例えば、円筒部４の内径が９８ｍｍ、環状鍔部５の外径が１４０ｍｍの隙間閉塞部材Ａの場合、貫通孔２の径を１１０ｍｍとする。
（２）  所定の長さの排水縦管３を床スラブ１の下方から立ち上げて貫通孔２に挿通する。排水縦管３の床スラブ１からの突出部分にはエルボ、ソケット等のジョイント部材などを連結せず、非固定で水平方向の移動も拘束されない状態にしておく。すなわち、隙間閉塞部材Ａを嵌めこんで下方に移動させる際に障害となる屈折がなく付加的な部材が取り付けられていない状態にしておく。
（３）  排水縦管３の上端部に、隙間閉塞部材Ａを嵌めこんで下方に移動させ、環状鍔部５を床スラブ１に掛止させる。この際、フェルト状防振材Ａ２の円筒部４の下端よりも更に垂下した部分を広げることで挿通が容易になる。
（４）  環状鍔部５の透孔５ａに釘やビス等を挿通して隙間閉塞部材Ａを床スラブ１に固定する。この際、排水縦管３の上端部は接続、固定されていないので、排水縦管３及び隙間閉塞部材Ａは貫通孔２に対して偏心することがなく、環状鍔部５の床スラブ1に対する掛かり代が均等になり、釘やビス等による固定が確実に行われる。
（５）  排水縦管３の上端部以降の配管工事を行う。
【００２６】
上記構成の隙間閉塞部材Ａを用いることにより、床スラブ１に穿設された貫通孔２と貫通孔２に挿通された排水縦管３との間の隙間を簡易且つ確実に閉塞することができる。
また、排水縦管３と床スラブ１との間にはフェルト状防振材Ａ２が介在させられており、排水縦管３が振動を伝えやすい硬質の材料と接触することはない。従って、排水縦管３内部を排水が流下する際に発生する振動や音が床に伝わることを確実に防止することができる。
【００２７】
また、フェルト状防振材Ａ２は、その下端が円筒部４の下端よりも更に垂下した状態で円筒部４の内面に貼着されているので、排水縦管３に嵌め込んで下方に移動させる際にフェルト状防振材Ａ２が巻き込まれることがなく、作業がしやすい。
また、上記閉塞方法によれば、排水縦管３の床からの突出部分を非連結・非固定状態として隙間閉塞部材Ａを貫通孔２に嵌め込むので、隙間閉塞部材Ａを貫通孔２の適正な位置に速やかに設置することができる。
【００２８】
尚、上記においては、円筒部４の周方向に連続して環状鍔部５を形成したが、鍔部５は必ずしも連続して形成されている必要はなく、例えば周方向に間隔をあけて複数の係止部を設けて鍔部としてもよい。また、円筒部４は単一の部材から構成したが、例えば横断面半円状の部材を一対組み合わせるなど、複数の部材を繋ぎ合わせて円筒部としてもよい。
また、上記においては、排水縦管３と床の貫通孔２との隙間を閉塞する例を示したが、本発明に係る隙間閉塞部材Ａは、構造体の貫通孔に管材を挿通する必要があり、その際に管材等に振動が生じる虞のある構造全般に対して利用することができる。例えば、外壁等に給排水管が挿通させられる場合や、空調配管等にも適用できる。
更に、上記実施形態の説明では、隙間閉塞部材と隙間閉塞方法について説明したが、これは排水配管構造と、またかかる構造の構築方法と捉えることもできる。
【符号の説明】
【００２９】
１                床スラブ
２                貫通孔
３                排水縦管（配管）
Ａ                隙間閉塞部材
Ａ１              ハット状部材
Ａ２              フェルト状防振材
４                円筒部
５                環状鍔部（鍔部）
５ａ              透孔
【図１】
2010281366.tif 000003
【図２】
2010281366.tif 000004